(57)【特許請求の範囲】
【請求項１】
主板と、該主板の幅方向一方側に垂直板片状に立ち上がり形成された垂直状部が形成され、該垂直状部の上端より外方に彎曲状に膨出形成された下側円弧状片と，該下側円弧状片の上端より形成された下側頂片とを有する下馳部と、前記主板の他方の垂直状部の上端より内方側に彎曲状に膨出形成された上側円弧状片と，該上側円弧状片の上端より外方に形成された上側頂片と，該上側頂片の外端より外向き傾斜状で且つ第１折線状部を介して形成された外方下向きの第１馳折片と，該第１馳折片の下端から第２折線状部を介して、前記上側頂片と第１馳折片との曲げ方向と反対方向に折り曲げ形成された第２馳折片と，前記第２馳折片の外端には前記第２折線状部と反対方向に折曲げ方向となる第３折線状部を介して形成された馳締端縁とからなる上馳部を形成した馳締建築用板が幅方向に隣接され、前記下馳部の下側頂片上に上馳部の上側頂片が重合され、前記第１折線状部及び第２折線状部が屈曲されて第１馳折片と第２馳折片が馳締されてなることを特徴とする馳締建築用板における馳締構造。
【請求項２】
主板と、該主板の幅方向一方側に垂直板片状に立ち上がり形成された垂直状部が形成され、該垂直状部の上端より外方に彎曲状に膨出形成された下側円弧状片と，該下側円弧状片の上端より形成された下側頂片とを有する下馳部と、前記主板の他方の垂直状部の上端より内方側に彎曲状に膨出形成された上側円弧状片と，該上側円弧状片の上端より外方に形成された上側頂片と，該上側頂片の外端より外向き傾斜状で且つ第１折線状部を介して形成された外方下向きの第１馳折片と，該第１馳折片の下端から第２折線状部を介して前記上側頂片と第１馳折片との曲げ方向と反対方向に折り曲げ形成された第２馳折片と，前記第２馳折片の外端には前記第２折線状部と反対方向に折曲げ方向となる第３折線状部を介して形成された馳締端縁とからなる上馳部を形成した馳締建築用板を幅方向に隣接し、前記下馳部に上馳部を重合すると共に、該上馳部の上側円弧状片部分を押圧し、前記上側頂片と前記第１馳折片とを前記第１折線状部を折曲げ形成の略中心箇所として折り曲げ、下馳部の下側頂片を挟持し、前記上馳部の第１馳折片と第２馳折片とを前記第２折線状部を折曲げ形成の略中心として折り曲げ前記下馳部側に押さえて巻き付け、前記第３折線状部を折曲げ形成の略中心として前記馳締端縁を前記垂直状部と略当接させてなることを特徴とする馳締建築用板の馳締方法。
【請求項３】
主板と、該主板の幅方向一方側に垂直板片状に立ち上がり形成された垂直状部が形成され、該垂直状部の上端より外方に彎曲状に膨出形成された下側円弧状片と，該下側円弧状片の上端より形成された下側頂片とを有する下馳部と、前記主板の内方側に彎曲状に膨出形成された上側円弧状片と，該上側円弧状片の上端より外方に形成された上側頂片と，該上側頂片の外端より外向き傾斜状で且つ第１折線状部を介して形成された外方下向きの第１馳折片と，該第１馳折片の下端から第２折線状部を介して前記上側頂片と第１馳折片との曲げ方向と反対方向に折り曲げ形成された第２馳折片と，前記第２馳折片の外端には前記第２折線状部と反対方向に折曲げ方向となる第３折線状部を介して形成された馳締端縁とからなる上馳部を形成した馳締建築用板を幅方向に隣接し、前記下馳部に上馳部を重合すると共に、馳締機の第１馳締ロール部と第２馳締ロール部とで前記下馳部と前記上馳部とを押圧し、前記第１馳締ロール部の第１受ロールと、第２馳締ロール部の第２受ロールが前記上馳部の上側円弧状片部分を押圧し、前記上側頂片と前記第１馳折片とを前記第１折線状部を折曲げ形成の略中心箇所として折り曲げ、下馳部の下側頂片を挟持し、第１馳締ロールと第２馳締ロールとで前記上馳部の第１馳折片と第２馳折片とを前記第２折線状部を折曲げ形成の略中心として折り曲げ、前記下馳部側に押さえて巻き付け、前記第２馳締ロールにて前記第３折線状部を折曲げ形成の略中心として前記馳締端縁を前記垂直状部と略当接させてなることを特徴とする馳締建築用板の馳締方法。
【発明の詳細な説明】
【０００１】
【発明の属する技術分野】
本発明は、馳締タイプの折板建築用板において、屋根，壁等の施工で馳締の連結作業が最小限の工程で効率的に行うことができるとともに、迅速且つ良好な仕上がりにすることができる馳締建築用板における馳締構造に関する。
【０００２】
【従来の技術】
従来より、多数の馳締折板タイプの建築用板からなる屋根，壁等の外囲体が多く施工されている。その馳締タイプの建築用板は、下馳部と上馳部とを有しており、隣接する建築用板の下馳部に上馳部を被せて上馳部を下馳部に巻き付けるようにして連結してゆくものであり、水密性に優れ、また連結強度においても極めて強固なるものにすることができる。
【０００３】
その馳締建築用板の馳部の形状も種々のものが存在しているが、特に一般に丸馳タイプと言われているものが多く使用される。これは、馳締部が全体的に見て円弧状の部分から構成されている。その馳締連結作業は、一般には複数の工程があり、馳締部の形状に応じて適応する馳締機が使用される。
【０００４】
該馳締機は、ハンディータイプのもので、左右一組で対をなす成形ロール部が前後方向に複数段設けられたものである。この馳締機は馳締を行おうとする部位の端部箇所に配置し、上馳部を下馳部に巻き付けるように塑性変形による加工を施すものである。
【０００５】
【発明が解決しようとする課題】
上述したように、馳締タイプの建築用板同士で馳締連結を行う場合に、上馳部を下馳部に巻き付けるために馳締機を使用するが、上馳部を下馳部に巻き付けるように塑性変形させるのに、一組当たりの成形ロールが上馳部へ一度に塑性変形させる量を大きくすることは困難であり、且つ均一なる馳締の仕上がりとすることができないこともある。
【０００６】
それゆえに、成形ロール部の段数を多くして、一組当たりの成形ロール部による上馳部への変形量を少なめとし、上馳部を多段の成形ロールで少しずつ変形させてゆく必要があり、そのために馳締機も大型となり作業員にとっても作業の負担となりやすい。また、建築用板の肉厚も厚めのものでは、比較的大きな回転力を有する動力源も必要となり、そのために馳締機の重量が増すことにもなる。
【０００７】
【課題を解決するための手段】
そこで、発明者は上記課題を解決すべく、鋭意，研究を重ねた結果、本発明を、主板と、該主板の幅方向一方側に垂直板片状に立ち上がり形成された垂直状部が形成され、該垂直状部の上端より外方に彎曲状に膨出形成された下側円弧状片と，該下側円弧状片の上端より形成された下側頂片とを有する下馳部と、前記主板の他方の垂直状部の上端より内方側に彎曲状に膨出形成された上側円弧状片と，該上側円弧状片の上端より外方に形成された上側頂片と，該上側頂片の外端より外向き傾斜状で且つ第１折線状部を介して形成された外方下向きの第１馳折片と，該第１馳折片の下端から第２折線状部を介して、前記上側頂片と第１馳折片との曲げ方向と反対方向に折り曲げ形成された第２馳折片と，前記第２馳折片の外端には前記第２折線状部と反対方向に折曲げ方向となる第３折線状部を介して形成された馳締端縁とからなる上馳部を形成した馳締建築用板が幅方向に隣接され、前記下馳部の下側頂片上に上馳部の上側頂片が重合され、前記第１折線状部及び第２折線状部が屈曲されて第１馳折片と第２馳折片が馳締されてなる馳締建築用板における馳締構造及び馳締方法としたことにより、馳締の連結作業が最小限の工程で迅速且つ良好な仕上がりにすることができ上記課題を解決したものである。
【０００８】
【発明の実施の形態】
以下、本発明の実施形態を図面に基づいて説明する。本発明における馳締建築用板Ａは、主板Ａ1 と下馳部６と上馳部７とから構成される。その主板Ａ1 は、平坦状の底部主板１の幅方向両側に外方上向きの立上り側部２，２が形成され、該立上り側部２，２の上端より頂部３，３が形成されている〔図１（Ａ）等参照〕。
【０００９】
前記両立上り側部２，２の下端箇所又は底部主板１には、嵌合屈曲部４，４が形成されている。該嵌合屈曲部４，４は、受金具の嵌合部と嵌合する部位である。また、前記主板Ａ1 は、特に図示しないが上記のように底部主板１，立上り側部２，２及び頂部３，３とから構成されたものでなく、略一枚の平坦板状として形成される実施例も存在する。
【００１０】
その頂部３は、外方上向きに僅かに傾斜しており、該頂部３の外端より適宜の高さに略垂直板片状に立ち上がり形成された垂直状部５が形成されている。その一方の垂直状部５の上端より下馳部６が形成され、他方の垂直状部５の上端より上馳部７が形成されている。
【００１１】
まず、下馳部６は、垂直状部５の上端から（主板Ａ1 側から見て）外方に向かって略半円状に膨出する下側円弧状片６ａが形成されている。そして、該下側円弧状片６ａの上端から下側頂片６ｂが形成され、該下側頂片６ｂの外端より下面側に折返し端縁６ｃが形成されている。前記下側頂片６ｂは、略平坦状をなしている。該折返し端縁６ｃは、前記下側頂片６ｂの裏面側に略密着状としたり、或いは偏平Ｃ字形状となるように形成されている〔図１（Ｃ）参照〕。
【００１２】
次に、上馳部７は、図１（Ｂ）に示すように、前記他方側の垂直状部５の上端に前記主板Ａ1 側に略半円状に膨出する上側円弧状片７ａが形成されている。該上側円弧状片７ａは、前記下馳部６の下側円弧状片６ａが内接する程度の大きさの円弧状に形成されたものである。そして、該上側円弧状片７ａの上端より外方に上側頂片７ｂが形成されている。該上側頂片７ｂは、前記下馳部６の下側頂片６ｂと同様に略平坦状な面となっており、該下側頂片６ｂ上に上側頂片７ｂが重合するものである（図４等参照）。
【００１３】
該上側頂片７ｂの外端から第１折線状部Ｓ1 を介して第１馳折片７ｃが形成されている。前記第１折線状部Ｓ1は、前記上側頂片７ｂと第１馳折片７ｃとの間に形成された折れ線部位であり、第１馳折片７ｃを前記上側頂片７ｂに対して折り曲げ易くする役目をなすものである。
【００１４】
その第１馳折片７ｃは、前記上側頂片７ｂの外端から外向き傾斜状に形成されているものであり、上側頂片７ｂと第１馳折片７ｃとで、前記下馳部６の下側頂片６ｂを略挟持する状態となる（図３参照）。その第１馳折片７ｃの外端から第２折線状部Ｓ2 を介して第２馳折片７ｄが形成されている。
【００１５】
該第２馳折片７ｄと前記第１馳折片７ｃとの折曲げ方向は、前記上側頂片７ｂと第１馳折片７ｃとの曲げ方向と反対となる。即ち、上側頂片７ｂと第１馳折片７ｃとは下面側が内角となり、また第１馳折片７ｃと第２馳折片７ｄとは上面側が内角となる〔図１（Ｂ）参照〕。
【００１６】
次に、第２馳折片７ｄの外端より、第３折線状部Ｓ3 を介して馳締端縁７ｅが形成される。該馳締端縁７ｅは、下馳部６と上馳部７とを馳締連結したときに、前記垂直状部５と当接する部位となる。その第３折線状部Ｓ3 の折曲げ方向における折曲げ方向は、前記第２折線状部Ｓ2 と反対方向となる〔図１（Ｂ）参照〕。
【００１７】
次に、馳締機Ｂについて説明すると、該馳締機Ｂは前記馳締建築用板Ａの下馳部６と上馳部７とを馳締連結するためのものである。前記馳締機Ｂは、ケーシング１０に第１馳締ロール部Ｒ1 と第２馳締ロール部Ｒ2 とが装着されている。第１馳締ロール部Ｒ1 は、第１受ロール１１ａと第１馳締ロール１１ｂとから構成されている。同様に、第２馳締ロール部Ｒ2 は第２受ロール１２ａと第２馳締ロール１２ｂとから構成されている〔図５（Ａ），（Ｂ）参照〕。
【００１８】
第１馳締ロール部Ｒ1 は、第１受ロール１１ａと第１馳締ロール１１ｂとが１対をなし、相互に反対方向に回動するように構成されている。同様に、第２馳締ロール部Ｒ2 は、第２受ロール１２ａと第２馳締ロール１２ｂとが１対をなし相互いに反対方向に回動するように構成されている。
【００１９】
これらのロールの回転駆動構造はケーシング１０側に設けた歯車機構と正逆転可能なモータ等の原動機Ｍから構成されている。前記第１馳締ロール部Ｒ1 における第１受ロール１１ａにはその外周側面に、前記上馳部７の上側円弧状片７ａと略同等断面となる受溝１１ａ1 が形成されている。また、第１馳締ロール１１ｂは、前記上馳部７の第１馳折片７ｃ及び第２馳折片７ｄを下馳部６の下側円弧状片６ａ及び垂直状部５に押圧するための成形突出条１１ｂ1 が形成されている〔図６（Ａ）参照〕。
【００２０】
また、第２馳締ロール部Ｒ2 は、上記第１馳締ロール部Ｒ1 と同様に、第２受ロール１２ａには、その外周側面に、前記上馳部７の上側円弧状片７ａと略同等断面となる受溝１２ａ1 が形成されている。また、第２馳締ロール１２ｂは、前記上馳部７の第１馳折片７ｃ及び第２馳折片７ｄを下馳部６の下側円弧状片６ａ及び垂直状部５にさらに押圧して、特に馳締端縁７ｅを垂直状部５に当接させるための成形突出条１２ｂ1 が形成されている〔図６（Ｂ）参照〕。
【００２１】
【作用】
まず、隣接する馳締建築用板Ａ，Ａの下馳部６に上馳部７を重合状態に接合させる。即ち、下馳部６に上馳部７を単に被せた状態とする。その下馳部６と上馳部７とを仮締め状態とし、馳締機Ｂの第１馳締ロール部Ｒ1 と第２馳締ロール部Ｒ2 とで下馳部６と上馳部７とを押圧しつつ馳締作業を行う。
【００２２】
その馳締作業において、前記第１馳締ロール部Ｒ1 の第１受ロール１１ａと、第２馳締ロール部Ｒ2 の第２受ロール１２ａが、上馳部７の上側円弧状片７ａ部分を押圧する役目をなし、第１馳締ロール１１ｂと第２馳締ロール１２ｂとで上馳部７の第１馳折片７ｃと第２馳折片７ｄとを下馳部６側に押さえてゆく役目をなす〔図６（Ａ），（Ｂ）参照〕。
【００２３】
そして、前記第１馳締ロール１１ｂと第２馳締ロール１２ｂとが原動機Ｍにより駆動されて、上馳部７の第１馳折片７ｃ，第２馳折片７ｄ及び馳締端縁７ｅとを２段階にわたって次第に変形させ、下馳部６に略巻き付けるようにし馳締を行う〔図５（Ｂ）参照〕。このとき、前記第１馳折片７ｃ，第２馳折片７ｄ及び馳締端縁７ｅの変形は、前記第１折線状部Ｓ1 と第２折線状部Ｓ2 及び第３折線状部Ｓ3 が折曲げ形成の中心となるものである。
【００２４】
【発明の効果】
請求項１の発明は、主板Ａ1 と、該主板Ａ１の幅方向一方側に垂直板片状に立ち上がり形成された垂直状部５が形成され、該垂直状部５の上端より外方に彎曲状に膨出形成された下側円弧状片６ａと，該下側円弧状片６ａの上端より形成された下側頂片６ｂとを有する下馳部６と、前記主板Ａ１の他方の垂直状部５の上端より内方側に彎曲状に膨出形成された上側円弧状片７ａと，該上側円弧状片７ａの上端より外方に形成された上側頂片７ｂと，該上側頂片７ｂの外端より外向き傾斜状で且つ第１折線状部Ｓ１を介して形成された外方下向きの第１馳折片７ｃと，該第１馳折片７ｃの下端から第２折線状部Ｓ2を介して、前記上側頂片７ｂと第１馳折片７ｃとの曲げ方向と反対方向に折り曲げ形成された第２馳折片７ｄと，前記第２馳折片７ｄの外端には前記第２折線状部Ｓ2 と反対方向に折曲げ方向となる第３折線状部Ｓ3を介して形成された馳締端縁７ｅとからなる上馳部７を形成した馳締建築用板Ａが幅方向に隣接され、前記下馳部６の下側頂片６ｂ上に上馳部７の上側頂片７ｂが重合され、前記第１折線状部Ｓ１及び第２折線状部Ｓ2が屈曲されて第１馳折片７ｃと第２馳折片７ｄが馳締されてなる馳締建築用板における馳締構造としたことにより、馳締の連結作業を効率的に行うことができるし、第２に馳締の連結強度を強固にすることができる等の効果を奏する。
【００２５】
上記効果を詳述すると、上馳部７は、上側頂片７ｂと第１馳折片７ｃとの間に第１折線状部Ｓ1 が存在しており、上側頂片７ｂから第１馳折片７ｃを折り曲げるときに、その第１折線状部Ｓ1 が略中心箇所となって折り曲げが容易に行われる。さらに、第１馳折片７ｃと第２馳折片７ｄとの間には第２折線状部Ｓ2 が存在し、第１馳折片７ｃと第２馳折片７ｄとは前記第２折線状部Ｓ2 を略中心として折り曲げが容易に行われる。
【００２６】
これによって、上側頂片７ｂと第１馳折片７ｃとは第１折線状部Ｓ1 により容易に折れ曲がり、下馳部６の下側頂片６ｂを略挟持状態に固定することができるものである。また、第１馳折片７ｃと第２馳折片７ｄとは第２折線状部Ｓ2 により容易に折れ曲がることができる。
【００２７】
また、上馳部７には、上記のように、第１折線状部Ｓ1 ，第２折線状部Ｓ2 がそれぞれ形成されているので、馳締成形がより一層行いやすく、且つその成形が長手方向に沿って馳締連結部がいずれの箇所においても均一したものにすることができる。さらに、上記のように第１折線状部Ｓ1 ，第２折線状部Ｓ2 が、折れ曲がりの略中心箇所として設定することができ、馳締機Ｂを使用して馳締連結作業を行うに際しても、馳締を行い易く、馳締機Ｂに装着される成形ロールも２段であり、成形ロールを略最小限の構成とすることができ、ひいては馳締機Ｂをコンパクト且つ軽量なものとし、作業員の扱いやすいものにできる。さらに、前記第２馳折片７ｄの外端には第３折線状部Ｓ3 を介して馳締端縁７ｅを形成したことにより、前記第１馳折片７ｃ，第２馳折片７ｄによる下馳部６への馳締めを行うとともに、馳締端縁７ｅを下馳部６の垂直状部５に当接させることができ、これにより馳締連結構造の水密性を向上させ、且つ力学的な強度を向上させることができる。
【００２８】
請求項２の発明においては、屋根，壁等の施工で馳締の連結作業が最小限の工程で効率的に行うことができるとともに、迅速且つ良好な仕上がりにすることができる。さらに、請求項３の発明においては、馳締機Ｂを使用して馳締連結作業を行うに際して、馳締を行い易く、馳締機Ｂの成形ロールを略最小限の構成とすることができ、ひいては馳締機Ｂをコンパクト且つ軽量なものとし、作業員の扱いやすいものにできる。そして、屋根，壁等の施工で馳締の連結作業が最小限の工程で効率的に行うことができるとともに、迅速且つ良好な仕上がりにすることができる。
【図面の簡単な説明】
【図１】（Ａ）は馳締建築用板の正面略示図
（Ｂ）は上馳部の拡大断面図
（Ｃ）は下馳部の拡大断面図
【図２】馳締建築用板を連結した略示図
【図３】下馳部と上馳部の馳締構造を示す拡大断面図
【図４】上馳部の折れ曲がり状態を示す工程図
【図５】（Ａ）は馳締機の側面図
（Ｂ）は第１馳締ロールと第２馳締ロールの馳締の工程を示す作用図
【図６】（Ａ）は第１馳締ロールの馳締状態を示す作用図
（Ｂ）は第２馳締ロールと馳締状態を示す作用図
【符号の説明】
１…主板
５…垂直状部
６…下馳部
７…上馳部
７ａ…上側円弧状片
７ｂ…上側頂片
７ｄ…第２馳折片
７ｅ…馳締端縁
Ｓ1 …第１折線状部
Ｓ2 …第２折線状部
Ｓ3 …第３折線状部
【図１】
0004021128.tif 000002
【図２】
0004021128.tif 000003
【図３】
0004021128.tif 000004
【図４】
0004021128.tif 000005
【図５】
0004021128.tif 000006
【図６】
0004021128.tif 000007